(57)【要約】【課題】本発明は、洗い場床上を経由して排水トラップ内に流れ込んだ殺菌水で、入浴後の封水を充分に置換することができる浴室殺菌ユニットを提供する。【解決手段】殺菌水生成装置と、殺菌水吐水部と、殺菌水吐水部の吐水および止水を切替え可能な開閉弁と、開閉弁と前記殺菌水生成装置を制御する制御装置と、を備え、制御装置は、殺菌水吐水指令を受けると、排水トラップにおける封水量の３倍以上の殺菌水を殺菌水吐水部から吐水することを特徴とする。さらに、殺菌水生成装置は、給水配管の途上に取り付けられていることを特徴とする。さらに、殺菌水吐水部は、洗い場床上の排水下り勾配に逆らうように洗い場床上に殺菌水を吐水することを特徴とする。【選択図】図１
2009213875.tif 000002
【特許請求の範囲】
【請求項１】
浴槽と、前記浴槽に隣接する洗い場床と、
前記洗い場床の排水口に取り付けられ、封水を形成可能な排水トラップと、
殺菌水を生成可能な殺菌水生成装置と、
前記殺菌水生成装置により生成された殺菌水を前記洗い場床上に吐水する殺菌水吐水部と、
前記殺菌水吐水部の吐水および止水を切替え可能な開閉弁と、
前記開閉弁と前記殺菌水生成装置を制御する制御装置と、を備え、
前記制御装置は、殺菌水吐水指令を受けると、前記排水トラップにおける封水量の３倍以上の殺菌水を前記殺菌水吐水部から吐水する
ことを特徴とする浴室殺菌ユニット。
【請求項２】
前記殺菌水生成装置は、給水配管の途上に取り付けられていることを特徴とする請求項１記載の浴室殺菌ユニット。
【請求項３】
前記殺菌水吐水部は、前記洗い場床上の排水下り勾配に逆らうように前記洗い場床上に殺菌水を吐水することを特徴とする請求項１または２記載の浴室殺菌ユニット。
【請求項４】
前記殺菌水生成装置は、銀イオン水を生成することを特徴とする請求項１〜３いずれかに記載の浴室殺菌ユニット。
【発明の詳細な説明】
【技術分野】
【０００１】
本発明は、浴室の洗い場に殺菌水を吐水して、排水トラップ内における細菌の発生を抑制する浴室殺菌ユニットに関する。
【背景技術】
【０００２】
従来、殺菌性物質又はイオンを含有する殺菌水を浴室の壁や洗い場床に散布して、細菌の発生を抑制する浴室防汚装置が提案されている（例えば、特許文献１参照。）。
斯かる浴室防汚装置においては、殺菌水を霧状、粒状、流水状等の形態で、浴室壁や洗い場床に散布することにより、細菌に起因する浴室壁や洗い場床の表面に生じる汚れを防止することが開示されている。また、洗い場床や浴室壁に散布された殺菌水は、洗い場床上を排水勾配に沿って流れ、洗い場床に取り付けられ、封水を形成可能な排水トラップに集水される。
【先行技術文献】
【特許文献】
【０００３】
【特許文献１】特開平９−２２０２７３号公報
【発明の概要】
【発明が解決しようとする課題】
【０００４】
しかしながら、特許文献１では、排水トラップ内における細菌の発生を抑制することを考慮していなかったため、排水トラップ内の菌の繁殖を充分に抑制することができないという問題があった。一般的に、入浴直後における排水トラップの封水部は、皮脂、シャンプー、石鹸カスなどの有機物汚れが、多く含まれているため菌が非常に繁殖しやすい環境にある。このような有機物汚れが多量の存在している状態で殺菌水を流入させても、殺菌効果が減少してしまう。そこで、排水トラップ内に残存していた入浴直後の封水を殺菌水で充分に置換することが求められる。
【０００５】
しかしながら、殺菌水は洗い場上を経由して排水トラップ内に流れこんでくるものであるため、排水トラップ内に流入する殺菌水の流量が、浴室のサイズや形状、殺菌水の散布形態によって変化し、排水トラップ内を完全に殺菌水で置換することができないおそれがあった。
【０００６】
本発明は上述の問題に鑑みてなされ、洗い場床上を経由して排水トラップ内に流れ込んだ殺菌水で、入浴後の封水を充分に置換することができる浴室殺菌ユニットを提供する。
【課題を解決するための手段】
【０００７】
本発明の一態様によれば、浴槽と、前記浴槽に隣接する洗い場床と、前記洗い場床の排水口に取り付けられ、封水を形成可能な排水トラップと、殺菌水を生成可能な殺菌水生成装置と、前記殺菌水生成装置により生成された殺菌水を前記洗い場床上に吐水する殺菌水吐水部と、前記殺菌水吐水部の吐水および止水を切替え可能な開閉弁と、前記開閉弁と前記殺菌水生成装置を制御する制御装置と、を備え、前記制御装置は、殺菌水吐水指令を受けると、前記排水トラップにおける封水量の３倍以上の殺菌水を前記殺菌水吐水部から吐水することを特徴とする。
【発明の効果】
【０００８】
本発明に係る浴室殺菌システムによれば、洗い場床上を経由して排水トラップ内に流れ込んだ殺菌水で、入浴後の封水を充分に置換することができる浴室殺菌ユニットを提供することができる。
【図面の簡単な説明】
【０００９】
【図１】本発明に係る浴室殺菌システムの一実施形態の全体概要を示す図。
【図２】浴室カウンタ裏面に取設された機能部を示す図で、（ａ）は平面図、（ｂ）は正面図、（ｃ）は側面図。
【図３】機能部の詳細を示す図で、（ａ）は正面図、（ｂ）は側面図図。
【図４】銀電極の配置を模式的に説明する図。
【図５】散水ノズルの構成を示す図。
【図６】散水ノズルの回転体を示す図で、（ａ）は平面図、（ｂ）はＢ−Ｂ断面図、（ｃ）はＣ−Ｃ断面図、（ｄ）はＤ−Ｄ断面図、（ｅ）はＥ−Ｅ断面図。
【図７】散水ノズルの分解断面図。
【図８】殺菌水の散布状態を示す平面図。
【図９】殺菌水の散布状態を示す立面図。
【図１０】排水ピット廻りにおける殺菌水の散布状態を示す斜視図。
【図１１】排水ピット内を示す図。
【図１２】排水トラップに装着されたヘアキャッチャーを示す図で、（ａ）は斜視図、（ｂ）は断面図。
【図１３】排水トラップ封水を表す模式図。
【図１４】ユニットバス排水口の置換率を表すグラフ。
【図１５】ユニットバス排水口の洗浄流量に対する置換率を表すグラフ。
【図１６】殺菌水の散布状態を示す平面図（ａ）と床面の水の流れを表す図（ｂ）。
【発明を実施するための形態】
【００１０】
本発明に係る浴室殺菌ユニットの一実施形態について、添付図面を参照して説明する。図１は、本実施形態に係る浴室殺菌システムの全体的な概要を示すものである。
【００１１】
この浴室殺菌システムは、浴槽２と、浴槽２の長辺側に隣接する洗い場床３と、浴槽２側から洗い場床３を隔てて浴槽２に対向する第１の壁面４へ横設された浴室カウンタ５と、浴室殺菌装置１とから構成される。洗い場床３は、排水ピット７内に向かって排水用の下り勾配が取られている。ここで、浴室カウンタ５は、第２の壁面４２に取り付けられており、浴槽２のリム２ａより低い位置に配置されている。
【００１２】
また、この浴室には、洗い場床３の浴槽２側端辺から、浴槽２の洗い場床３側端辺までを掩蔽するバスエプロン６と、洗い場床３の浴槽２側端辺に、洗い場床３より一段低く形成され、排水トラップが取設される排水ピット７が設けられ、排水ピット７上面には、洗い場床上の水が排水ピット７内に流入可能な程度の隙間を空けて排水蓋８が載置される。浴室カウンタ５の取り付けられる第２の壁面４２の上方には、照明４４が設置される。照明スイッチ４５が浴室前の更衣室等の壁面に設置され、照明４４の点灯、消灯を制御する。
【００１３】
浴室殺菌装置１は、制御ボックス（制御装置）１０と、機能ユニット１１と、殺菌水吐水部に該当する散水部１２と、リモコン１３とを備える。
【００１４】
制御ボックス１０は、浴室の天井裏に設置され、リモコン１３からの指示により、機能ユニット１１内の後述する電磁弁及び電解槽を制御する。機能ユニット１１は、殺菌水を生成するユニットであり、浴室カウンタ内に内蔵され、その先端には殺菌水を散布する散水ノズル１２が接続される。
【００１５】
リモコン１３は、浴室前の更衣室等の壁面に設置され、スイッチ１３ａとＬＥＤ１３ｂとを備える。スイッチ１３ａをＯＮにすると、浴室殺菌装置１が作動を開始するとともに、ＬＥＤ１３ｂが点灯し、浴室殺菌装置１が作動中であることを表示する。
【００１６】
浴室カウンタ５内部には、図２に示すように、洗い場水栓（吐水部）に給水／給湯する給水管１５及び給湯管１６が配管される。このうち給水管１７は、分岐されて、機能ユニット１１に水を供給する水道水導入管１７が接続される。
【００１７】
この水道水導入管１７の途中には止水栓１８が設けられ、この止水栓１８を閉めることにより、機能ユニット１１を取り外す際にも、浴室の通常の使用に支障を来さないようになっている。
【００１８】
水道水導入管１７により導入された水は、機能ユニット１１内において殺菌水に変成され、殺菌水導出管１９を経由して散水部１２へと送られる。
【００１９】
機能ユニット１１は、図３（ａ）に示すように、ケース２０内に、水道水導入管１７に接続する流入口２１を介して順に、電磁弁２２、定流量弁２３、大気開放弁２４、逆止弁２５、及び電解槽２６が連通され、電解槽２６は、流出口２７を介して殺菌水導出管に接続される。ここで、流入口および流出口は浴室カウンターの前端部側に配置されるように取設されており、流入口と流出口の軸はそれぞれ対角位置に配置されている。電解槽を介して流入口と流出口を連通するための管路部は、流入口から浴室カウンターの後端部側に直進する往路部と、流出口から浴室カウンターの後端部側に直進する復路部と、往路部および復路部の浴室カウンター後端部側の端部を連通するためにＵ字状に屈曲すると共に、復路部が往路部に比べて高い位置に配置されるように取り付けられる屈曲部と、を有している。
【００２０】
機能ユニット１１は、ケース２０内にウレタン樹脂２８が充填されて、防水構造とされている。これにより、電気部品の端子部の防水と、通水部からの漏水が防止される。
また、図３（ｂ）に示すように、機能ユニット１１の大きさを最小とすべく、流入ロ２１と流出口２７の軸が、ケース２０の対角に位置するように配設される。
【００２１】
リモコン１３のスイッチ１３ａが押されると、制御ボックス１０からの指示により電磁弁２２が開閉する。そして、電磁弁２２が開くことにより通水され、定流量弁２３により流量が一定に保たれる。これにより、生成される殺菌水の濃度が一定に保たれると同時に、散水部１２から散布される殺菌水の水圧も一定に保たれ、所望の範囲に殺菌水を散布することが可能となる。
【００２２】
通水状態になると、電解槽２６の電極２９に通電が開始され、電極２９の電気分解が行われて銀イオンが発生する。銀イオンを含有する水は殺菌水として散水ノズル１２へ送られる。こうして生成された殺菌水は、逆止弁２５により給水管１５へと逆流することが防止される。
【００２３】
大気開放弁２４は、通電時（電磁弁開）においては閉止状態になって、水が外部に漏出することが防止され、待機時（電磁弁閉）には開放状態になって、逆止弁２５より下流側は空気と置換される。これにより、電解槽２６内に残存水が残ることが防止される。
【００２４】
電解槽２６の電極２９は、銀、銀合金または銀メッキ金属により形成され、電極２９の電気分解が行われると銀イオンが発生する。この電極２９は、図４（ａ）に示すように、電極２９同士が水平になるような位置関係で設置されている。これにより、図４（ｂ）に示すように、待機時に残存水の表面張力による電極の導通状態が回避される。このようにすることで、電解槽をコンパクト（厚みを薄く）にしても、待機時に残存水の表面張力によって電極が導通状態になることを回避できる。
【００２５】
散水ノズル１２は、図５に示すように、大別して、殺菌水導出管１９に接続されるボディ３０と、その先端に軸支される回転体３１とから構成される。回転体３１はまた、上側部材３２と下側部材３３とに分割され、ワッシャ３４を介して、固定ビス３５により、ボディ３１の先端に回転自在に取設される（図７参照。）。回転体３１はこのように取り外し可能かつ分解可能に形成されているので、その内部及びボディ３０の先端を清掃することができる。
【００２６】
回転体３１（の下側部材３３）には、図６（ａ）に示すように、４対８個の液体噴出孔３３ａ，３３ｂ，３３ｃ，３３ｄが設けられる。これらの液体噴出孔３３ａ，３３ｂ，３３ｃ，３３ｄは、回転体３１の回転中心から同一方向へ同一距離偏心して設けられるので、通水状態になると、水流により回転し、洗い場床３ヘ殺菌水を万遍なく散布することができる。
【００２７】
これらのうち、液体噴出孔３３ａは、図６（ｂ）に示すように、水平に開口するものの、液体噴出孔３３ｂは、図６（ｃ）に示すように、仰角４°に開口する。また、液体噴出孔３３ｃは、図６（ｄ）に示すように、仰角８°に、液体噴出孔３３ｄは、図６（ｄ）に示すように、仰角１２°にそれぞれ開口する。
【００２８】
これにより、洗い場床３の散水部近傍から遠方まで、万遍なく散布することができる。なお、各液体噴出孔の仰角は、散布する洗い場床の広さに応じて適宜決定される。
ところで、ボディ３０の先端は、図７に示すように、直径Ｄ１に形成された軸先端３０ａのさらに先に直径Ｄ２の最先端３０ｂが段落ちして形成される。これに対応して、上側部材３２には、軸先端３０ａが挿通可能な直径Ｄ１’の挿通孔３２ａが形成され、下側部材３３には、最先端３０ｂが挿通可能なものの軸先端３０ａは挿通不能な直径Ｄ２’’の挿通孔３３ｅが形成される。
【００２９】
これにより、回転体３１を分解した後、誤って上側部材３２と下側部材３３とを上下逆に取り付けることが防止されるので、液体噴出孔３３ｂ，３３ｃ，３３ｄは仰角を確保でき、常に上方を指向して開口する。
【００３０】
本実施の形態に係る浴室殺菌システムは上記のように構成されており、以下その殺菌水散布状態について説明する。図８は、殺菌水の散布状態を示す平面図であり、図９は同立面図である。
【００３１】
図８に示すＧのエリアは、主に仰角０°の液体噴出孔３３ａからの殺菌水が散布されるエリアであり、同Ｈのエリアは、主に仰角４°の液体噴出孔３３ｂからの殺菌水が散布されるエリア、同じく、Ｉ及びＪのエリアは、それぞれ主に仰角８°及び１２°の液体噴出孔３３ｃ及び３３ｄからの殺菌水が散布されるエリアである。このように、液体噴出口３３ａ，３３ｂ，３３ｃ，３３ｄの仰角を異ならせることにより広範囲に亘って殺菌水を散布することが可能となる。
【００３２】
これに対し、図８に示すＦのエリアには、殺菌水は直接散布されない。このエリアには、図９に示すように、散水ノズル１２より奥側で浴室カウンタが取設される第２の壁面４２、第２の壁面近傍側の第１の壁面４、または第２の壁面近傍側のバスエプロン６に当たり跳ね返った水、及び跳ね返った後そこから洗い場床３の勾配に沿って流れ下る殺菌水により洗浄される。このように、散水ノズル１２が回転して吐水する形態であるため、散水ノズルから離れたエリアＧ，Ｈ，Ｉ，Ｊエリア用の液体噴出孔を設けておけば、必然的に散水ノズル１２近傍の洗い場床上は、大量の殺菌水が流れることになる。これにより、洗い場床上全面に殺菌水を行き渡らせることが可能となる。特に、水道圧力のみで、散水ノズル１２遠方側まで殺菌水を散布するためには、液体噴出孔の総孔面積に限界があるが、本実施形態では、散水ノズルから離れたエリアＧ，Ｈ，Ｉ，Ｊエリア用の液体噴出孔のみで足りるため、水道水圧のみで洗い場床の全面に殺菌水を行き渡らせることができる。
【００３３】
この点、散水ノズル１２は、浴槽２と洗い場床３を隔てて対向する壁面４近傍、すなわち、排水ピット７と対角位置となるに水上に取設されるので、散水ノズル近傍においても殺菌水が廻らないエリアはない。
【００３４】
また、散水ノズル１２は、浴室カウンタ５下部に取設されるので、浴室カウンタ５下部が陰になって、殺菌水が廻らないということもない。
【００３５】
他方、液体噴出口３３ｄの仰角は一定以下に抑えられるので、無闇に広いエリアに散布することはなく、経済的であるばかりでなく、図９に示すように、殺菌水は最高位置でも浴槽２のリム２ａの高さを超えないので、風呂蓋に殺菌水がかかることもない。
【００３６】
さらに、殺菌水は、バスエプロン６に向かっても散布されるので、図１０に示すように、排水ピット７上の排水蓋８とバスエプロン６との間にできる隙間には、バスエプロン６に当たって流れ落ちる殺菌水によって洗浄される。このように、洗い場床３を流れ落ちる殺菌水だけでは網羅できないエリア（排水ピットにおけるバスエプロン６側の端辺であって、特にその中央付近は洗い場床上を流れた殺菌水が流れにくい。）も洗浄することができる。
【００３７】
図１１に排水ピット７内の構造を示す。排水ピット７には、凹状に形成された排水凹部が形成されており、前記排水ピット７の底部には、上部に開口を有する排水トラップ封水筒１００が取設されており、前記排水トラップ封水筒１００の開口には、網目部を有するヘアキャッチャー９０が着脱可能に取り付けられている。排水ピット７に流れこむ殺菌水は、洗い場床３を通って流れこむ流れと、バスエプロン６に当たって流れ落ちる流れにより、排水ピット内において全周から殺菌水が流れこむ。殺菌水の散布ノズル１２を、排水ピット内に全周から殺菌水が流れ込むように吐水することで、排水ピット７内の全面に殺菌水を接触させ、ヌメリを引き起こす細菌を増殖させない。
【００３８】
図１２に排水トラップに装着されたヘアキャッチャー９０を示す。ヘアキャッチャー９０は、外周部９０ａと、網目部９０ｂ、中央開口部９０ｃ、取っ手部９０ｄからなる。中央開口部９０ｃは、万が一網目部９０ｂがゴミで閉塞した場合、この開口部を通して水を排水トラップに流すようになっている。ヘアキャッチャーの網目部９０ｂは、外方側から内方側に向けて、下り傾斜する傾斜部を有している。殺菌水が前記傾斜部をくだり、中央開口部９０ｃまで到達できるため、網目部９０ｂの全面が殺菌水に接触することが可能となる。髪の毛は、網目部に捕捉され、そこに石鹸カスやシャンプーがからみ、細菌が繁殖する過程で、ヌメリが加わり、掃除する人に不快な思いをさせるが、本発明によれば、ヘアキャッチャーの網目部全面に殺菌水を接触させることができ、ヌメリのない髪の毛となるため、掃除の負荷が軽くなる。また、図１２（ｂ）は排水トラップ封水筒１００断面を示すが、排水トラップ封水筒１００は、封水部１００ａとヘアキャッチャー取り付け部１００ｂを有し、取り付け部１００ｂにヘアキャッチャーの外周部９０ａをはめ込み、ヘアキャッチャーの外れを防止する。排水ピット７に流れ込んだ水は、ヘアキャッチャーの網目部９０ｂを通過し、排水トラップの封水部１００ａへと流れこむ。このように、網目部に補足された髪の毛にヌメリが発生しないため、使用者は取っ手部を掴み、ヘアキャッチャーを取り外した状態で、容易に髪の毛を網目部から外すことが可能となる。
【００３９】
図１３に排水トラップの構造を示した。浴槽２側と洗い場３側との排水が合流する、いわゆるワントラップ構造の排水トラップである。本排水トラップ構造は、上部に洗い場排水流入口を有する碗状のトラップ本体と、トラップ本体内に挿入された状態で取り付けられる排水トラップ封水筒１００と、排水管を接続するためのトラップ本体側面に形成された排水流出口５４と、浴槽２底面に形成された浴槽排水口５１に連通する浴槽排水管５２を接続するためのトラップ本体側面に形成された浴槽水流入口５３とを備えている。オーバーフロー部５５からオーバーフローした排水が、排水流出口５４から排出される構造となっている。常時、約１〜２Ｌの排水トラップ封水５０が、トラップ部に存在している。このようなワントラップ構造の合流型排水トラップは、浴室内に１つの排水トラップのみが設置されるため、本発明により確実な殺菌を行うことができる。
【００４０】
図１４は、排水トラップ封水の置換率に関して調査した結果である。食塩を純水に溶かした５％食塩水を作成し、置換率の計測に利用した。この食塩水の電気伝導度は７．２Ｓ／ｍであった。この食塩水約３０ｍｌをメスシリンダーで測り、排水口内に入れ、洗浄前の電気伝導度を計測した。ユニットバスは、１７００ｍｍ×１７００ｍｍの一坪の大きさで、ワントラップ構造、トラップ封水量は、1．４Ｌのものを使用した。洗浄前の電気伝導度を計測した後、排水トラップ排水筒１００と、ヘアキャッチャー９０を装着し、排水蓋８を設置して、洗い場床にシャワー吐水を行った。シャワー吐水は、シャワーヘッドに流量計をつけ所定の流量で、所定時間、洗い場床上に吐水した。シャワー流量を調整する時は、浴槽内に排水しては、排水口内に流れ込んで、食塩水が薄まってしまうため、ポリ容器を準備して、そこに排水しながら流量を合わせた。流量が合ったら、シャワーを所定時間、洗い場床に吐水した。シャワー吐水後、ヘアキャッチャー、排水筒を外し、排水トラップ封水５０の電気伝導度を測定した。シャワーから吐水した水量（洗浄水量）は、０．５、１、２、４、７、１４Ｌを、流量２、４、８、１２Ｌ／ｍｉｎで行い、計２４個のデータを計測した。
【００４１】
図１４は、各流量で、各水量を流した時の置換率を、洗浄水量をトラップ容量１．４Ｌで割った値を横軸に表したグラフである。洗浄水量／トラップ容量が１の時は、置換率が８０％前後であり、入浴後に排水トラップ内に溜まっている有機物汚れを充分に置換することができていない状況である。また、洗浄水量／トラップ容量が２の時は、置換率が９０％を超えているが、流量によってバラツキがあり、低流量の場合は有機物汚れを充分に置換できないおそれがある。特に、洗い場床上に散布した殺菌水が、洗い場床上を経由して排水トラップ内に流入するものであるため、洗い場床のサイズによって、排水トラップ内に流入してくる殺菌水の流量が現場によって異なることになる。これは、置換率のバラツキを大きくしてしまう要因となるため、好ましくない。一方、洗浄水量／トラップ容量が３以上では、各流量とも置換率が９９パーセントを越え、安定した高置換率を得られることが分かった。つまり、洗い場床サイズなどによって異なる流量に依存せずに、排水トラップ内を殺菌水で９９％置換することができるため、より確実に排水トラップのヌメリを防止することが可能となる。
【００４２】
９９パーセントの置換率があると、洗浄水を吐水することで、排水トラップ内の有機物量を１／１００に低減できる。人が入浴した後の浴槽水は、皮脂や垢が混じるため、有機物濃度が高まる。入浴人数３人の場合、モニター計測した結果、ＴＯＣ（カーボンのトータル量）が約１０ｐｐｍに増加することが分かった。置換率９９パーセント以上あれば、浴槽から排出され、排水トラップに溜まったＴＯＣ＝１０ｐｐｍの浴槽水は、１／１００の０．１ｐｐｍレベルとなり、水道水と同レベルとなる。高い置換率は、細菌の栄養源となる有機物を排水トラップに滞留させない効果があり、殺菌水の作用と相まって、排水口のヌメリ、ニオイを抑制する効果がある。
【００４３】
図１５は、トラップ置換率を洗浄流量に対してプロットしたグラフである。同じ水量を出す場合、洗浄流量が大きいほど、置換率が良いことが分かった。洗い場を洗浄した水は、排水ピット７に流れこみ、トラップ排水筒１００の円筒内側を通り、円筒下端の開口から、円筒外側に出て、排水流出口５４からオーバーフロー排水されるが、瞬間的に多く流入した方が、排水を押し出すエネルギーも大きくなることが分かる。
【００４４】
図１６は、本発明に関わる殺菌水の吐水例である。図１６（ａ）は、図８と同様で、図１６（ｂ）に床面上の殺菌水の流れを記載した。散布ノズル１２は回転するため、ノズルを中心として、円形状に殺菌水が散布される。ノズルの吐水口角度によって、殺菌水の床面の散布領域がＧＨＩＪエリアとなる。床面以外に吐水口がある時は、３つの壁面かバスエプロン６のいずれかに殺菌水が当たる。床面のＦエリアは、床面に殺菌水が直接当たる吐水口は設けず、壁に当たって床面に流れ落ちた殺菌水が、床の傾斜に従って排水口まで流れる。つまり、散布ノズルから排水凹部に向かうように洗い場床上に殺菌水を撒くと、水勢により殺菌水が勢い良く、排水口に排水されてしまうが、散布ノズルからみて排水口より近傍側の洗い場床上には殺菌水を略吐水しないようにすれば、長時間、殺菌水を洗い場床上に滞留させることが可能となる。散布ノズル１２に最も近い散布領域Ｇは、排水口にかかる角度に吐水口を設定する。ＧＨＩＪエリアに散布ノズル１２から直接当たる殺菌水の流れは、排水口から遠ざかる速度成分を有し、壁から流れてくる流れとぶつかり、殺菌水の排水速度を落とす作用を引き起こす。以上により、散布ノズル１２から散布された殺菌水が、直接排水口に流れ込むのを避け、できるだけ長い時間、床面に殺菌水を滞留させる。散水ノズル１２から、洗い場床上の排水下り勾配に逆らうように洗い場床上に殺菌水を吐水することにより、床面に滞留しやすくなった殺菌水は、時間の経過とともに、まとまって排水ピット７に流入するようになる。特に、散布ノズルからの散布を終了した直後は、洗い場床上の殺菌水が一気に排水口に向かって流れるため、流入流量の増大につながり、図１５の結果から、排水トラップの置換率を高め、細菌の栄養源となる有機物をより多く排出することが可能となる。
【００４５】
また、殺菌水生成装置は、給水配管の途上に取り付けられているため、散布される殺菌水も水道水温である。通常、入浴後の排水トラップ内は浴槽水やシャワー水が残っているため、温水となっていることが多く、菌の繁殖を活性化させることになり、好ましくない。本発明のように、水道水程度の冷たい水で、排水トラップ内を置換することで、さらに菌の繁殖を抑制することが可能となる。
【００４６】
本実施例における好ましい殺菌水としては、銀イオン水を挙げることができる。銀イオンは、細菌の細胞膜にある酵素に吸着し、酵素の作用を阻害するため、細菌が生命維持できなくなると言われている。接触する基材表面をコートする作用もあり、細菌が基材表面で繁殖しにくくなる。反応性の良い殺菌剤では、殺菌剤は瞬時に反応してしまい、抗菌力の持続性という点では課題があった。その点、銀イオンは基材表面をコートして、細菌の付着を防ぐことができ、かつ殺菌力を有しているため、基材表面での細菌の増殖を効果的に抑制できる。その際、排水トラップの置換率を高める洗浄方法と組み合わせることで、長期間、洗い場床と排水口のヌメリ、ニオイを抑制することが可能となる。
【００４７】
もちろん、銀イオン以外の殺菌性物質又はイオンを含有する水を使用不可として排除するものではない。具体的には、遊離塩素、抗菌性金属（例えば、銅、亜鉛等）又はそのイオン、オゾン、オゾン含有水、結合塩素、有機塩素系消毒液、有機リン酸系消毒液、ベルオクソ炭酸イオン又はその塩、アルコール系消毒液なども使用を想定することは可能である。
【００４８】
本発明の浴室殺菌ユニットは、殺菌水吐水指令を受けると、前記排水トラップにおける封水量の３倍以上の殺菌水を前記殺菌水吐水部から吐水することを特徴とするが、制御モードの応用例として、封水量の３倍以上の吐水のうち、前半は水道水のみ吐水し、吐水後半において、殺菌成分を含む水を吐水することが考えられ、本発命の第二の実施形態となる。殺菌水吐水部から吐水される水量のうち、吐水前半の水は、排水トラップより下流に流れ出ていくため、その部分に殺菌成分があっても、有効な殺菌作用を発揮せずに捨てられることになる。本実施形態では、吐水後半に殺菌水を流すことで、効率的に洗い場床、排水トラップに殺菌成分を残留させることができ、殺菌成分の供給寿命を伸ばすことができる。
【００４９】
前記第二の実施形態では、吐水前半の水道水のみの吐水と、吐水後半の殺菌成分を含む吐水の前後で、吐水流量が同じであることが好ましい。そうすれば、殺菌水吐水においても、汚れ排出力を維持したまま、殺菌成分を供給することができ、排水トラップの置換率向上と、殺菌力付与の相乗効果が生まれる。図１５から、排水トラップの置換率は、洗浄流量が高いほど良くなる。仮に殺菌水吐水の流量が、前半の水道水流量より下がると、排水トラップの置換率が吐水前半よりも下がることになり、汚れの排出能力が下がるため、その効率低下分を、前半の水道水吐水で補う必要があるため、狙いの置換率を実現するための総吐水量は増えることになる。よって、吐水全体を一定の流量で行うことで、効率的に汚れを排出しながら、排水トラップに殺菌成分を供給、滞留させることができるようになる。
【００５０】
前項の第二の実施形態においても、水路に銀板を２枚設置し、銀板に直流電流を流すことで水中に銀イオンを溶出させる殺菌装置形態が好ましい（図４）。銀電極部における、流れへの圧力損出は小さく、一般家庭の給水圧力（０．０５ＭＰａ以上）で、１０Ｌ／ｍｉｎ以上の流量を吐水することが可能となる。さらに、銀イオンは０．１ｐｐｍレベルの濃度で殺菌力を発揮するため、生成エネルギーが少なくてすむ。０．１Ｗ程度の電力で、０．１ｐｐｍの銀イオン濃度を、１０Ｌ／ｍｉｎのワンパス生成することが可能となる。
【００５１】
また、本発明は、上の実施例に示した洗い場殺菌水吐水に限定されるものではない。浴槽内を殺菌水で殺菌する形態、浴室全体に殺菌水を散布する形態等も本発明の実施形態に含まれる。
【００５２】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【００５３】
尚、上述した本実施形態による浴室殺菌ユニットによれば、以下の効果が得られる。洗い場床上を経由して排水トラップ内に流れ込んだ殺菌水で、入浴後の封水を充分に置換することができ、排水口のヌメリ、ニオイを長期間、抑制することが可能となる。
【符号の説明】
【００５４】
１  浴槽殺菌装置
２  浴槽
２ａ  リム
３  洗い場床
４  第１の壁面
５  浴室カウンタ
６  バスエプロン
７  排水ピット
８  排水蓋
１０  制御ボックス
１１  機能ユニット
１２  散水ノズル
１３  リモコン
１３ａ  スイッチ
１３ｂ  ＬＥＤ
１３ｃ  報知手段
１５  給水管
１６  給湯管
１７  水道水導入管
１８  止水栓
１９  殺菌水導出管
２０  ケース
２１  流入口
２２  電磁弁
２３  定流量弁
２４  大気開放弁
２５  逆止弁
２６  電解槽
２７  流出口
２８  ウレタン樹脂
２９  電極
３０  ボディ
３０ａ  軸先端
３０ｂ  最先端
３１  回転体
３２  上側部材
３２ａ  ３３ｅ  挿通孔
３３ａ，３３ｂ，３３ｃ，３３ｄ  液体噴出孔３３  下側部材
３４  ワッシャ
３５  固定ビス
４２  第二の壁面
４４  照明
４５  照明スイッチ
５０  排水トラップ封水
５１  浴槽排水口
５２  浴槽排水管
５３  浴槽水流入口
５４  排水流出口
５５  オーバーフロー部
９０  ヘアキャッチャー
９０ａ  外周部
９０ｂ  網目部
９０ｃ  中央開口部
９０ｄ  取っ手部
１００  排水トラップ封水筒
１００ａ  封水部
１００ｂ  ヘアキャッチャー取り付け部
【図１】
2009213875.tif 000003
【図２】
2009213875.tif 000004
【図３】
2009213875.tif 000005
【図４】
2009213875.tif 000006
【図５】
2009213875.tif 000007
【図６】
2009213875.tif 000008
【図７】
2009213875.tif 000009
【図８】
2009213875.tif 000010
【図９】
2009213875.tif 000011
【図１０】
2009213875.tif 000012
【図１１】
2009213875.tif 000013
【図１２】
2009213875.tif 000014
【図１３】
2009213875.tif 000015
【図１４】
2009213875.tif 000016
【図１５】
2009213875.tif 000017
【図１６】
2009213875.tif 000018